(57)【要約】      （修正有）【課題】カレンダーを月変わり事に紐をくぐらせて保存し、裏にはポケットを設けてカレンダー全部が残って一年間便利に利用する。【解決手段】カレンダー本体１に紐通し孔４をカレンダー全枚に設け、その紐通し孔４に、取り付け金具３紐２が自在に通れるようにし、カレンダーの月日が終われば紐通し孔４に紐２をくぐらせて裏側へ折り返し、カレンダーの裏の白紙７にはポケットを作る谷折線８や、切り込み線１１印が描いて、両端部にはポケット１２を張り合わせて作る剥離紙付き両面粘着テープを着け、使用するときに両面粘着テープの剥離紙を外して両端部を揃えて貼り合わせるとポケット１２ができる。【選択図】図６
0003129559.tif 000002
【実用新案登録請求の範囲】
【請求項１】
複数枚重ね合わせたカレンダー上端部に装着された挟止金具の中央直下に間隔を置いて全枚貫通した紐通し孔を開設し、各カレンダーの裏面の中間高さよりも低い部位に横方向の谷折線を描き、その谷折線の左右両端部からカレンダーの側辺に沿った部位に剥離紙付きの両面粘着テープを貼設して成り、両面粘着テープの剥離紙を剥がし、前記谷折線でカレンダーの下辺を上方へ折り返してそのまま圧着するとカレンダーの裏側にポケットが形成されるようにしたことを特徴とするカレンダー。
【請求項２】
複数枚重ね合わせたカレンダー上端部に装着された挟止金具の中央直下に間隔を置いて全枚貫通した紐通し孔を開設し、下端辺縁から各カレンダーの裏面の略中間高さよりも高い部位の途中又は紐通し孔までの間に中央縦方向に切り込み線を描き、カレンダーの両側辺からその切り込み線まで各カレンダーの裏面の中間高さよりも低い部位に横方向のそれぞれ谷折線を描き、両谷折線のそれぞれ左右両端部からカレンダーの側辺に沿った部位に剥離紙付きの両面粘着テープを貼設して成り、切り込み線で紙を切断して両面粘着テープの剥離紙を剥がし、前記谷折線でカレンダーの下辺を上方へ折り返してそのまま圧着するとカレンダーの裏側にポケットが形成されるようにしたことを特徴とするカレンダー。
【請求項３】
カレンダーの裾部分を折り返して二重に重ね合わせ、該重ね合わせた部分に裾部孔を設けたことを特徴とする請求項１又は２に記載のカレンダー。
【考案の詳細な説明】
【技術分野】
【０００１】  本考案は、複数枚のカレンダーの上部に紐通し孔を開けて、月変わりごとに裏側へ折り返して、その裏面の白紙部分を利用できるようにしたカレンダーに関すものです。
【技術背景】
【０００２】  従来のカレンダーは、月が変われば毎月終わった月の一面が一枚づつ挟止金具から破り取られて捨てられていました。
【考案の開示】
【考案が解決しようとする課題】
【０００３】  従来のカレンダーは上質の紙が多く、これを毎月捨ててしまうのはもったいないことです。
そこで、本考案は毎月捨てられていたカレンダーを、裏返して保持し生活で身近に使用する忘備用メモ紙などを収納する袋として再利用できるようにしようとするものです。
【課題を解決するための手段】
【０００４】  本考案のカレンダーの請求項１に記載の考案は、複数枚重ね合わせたカレンダー上端部に装着された挟止金具の中央直下に間隔を置いて全枚貫通した紐通し孔を開設し、各カレンダーの裏面の中間高さよりも低い部位に横方向の谷折線を描き、その谷折線の左右両端部からカレンダーの側辺に沿った部位に剥離紙付きの両面粘着テープを貼設して成ります。
そして、両面粘着テープの剥離紙を剥がし、前記谷折線でカレンダーの下辺を上方へ折り返してそのまま圧着するとカレンダーの裏側にポケットが形成されるようにしたことを特徴とします。【０００５】  請求項２に記載の考案は、複数枚重ね合わせたカレンダー上端部に装着された挟止金具の中央直下に間隔を置いて全枚貫通した紐通し孔を開設し、下端辺縁から各カレンダーの裏面の略中間高さよりも高い部位の途中又は紐通し孔までの間に中央縦方向に切り込み線を描き、カレンダーの両側辺からその切り込み線まで各カレンダーの裏面の中間高さよりも低い部位に横方向のそれぞれ谷折線を描き、両谷折線のそれぞれ左右両端部からカレンダーの側辺に沿った部位に剥離紙付きの両面粘着テープを貼設して成ります。
そして、切り込み線で紙を切断して両面粘着テープの剥離紙を剥がし、前記谷折線でカレンダーの下辺を上方へ折り返してそのまま圧着するとカレンダーの裏側にポケットが形成されるようにしたことを特徴とします。【０００６】  請求項２に記載の考案は、上記考案において、前記カレンダーの裾部分を折り返して二重に重ね合わせ、該重ね合わせた部分に裾部孔を設けたことを特徴とします。
【考案の効果】
【０００７】  本考案は上記構成なので、月が変わるごとに捨てずに上質の紙が挟止金具の下の孔に紐通して裏返しした状態で壁などに掛けられます。
そして、毎月裏返しできて、１２ケ月の枚数保存され、カレンダーの裏側に折って押える単純な作業で簡単にポケットが形成できます。
また、できたポケットは上質の紙でできているので常備で長持ちします。
さらに、請求項２に記載の考案は、２つのポケットができるので、入れるもののサイズに合わせた収納や種わけ収納が可能となります。
そして、このポケットにはメモ用紙をはじめ、家庭菜園で採れた種子や球根等、日常的の領収書やハガキ、封筒等、農業用として肥料、農薬、部品交換等、請求書、控え伝票、病院薬代等が収納可能となります。
１年分のカレンダーは１年分の種分けをそのままでき２月頃の確定申告時にあわてる事なく伝票類を整理できます。
また、前年度の本考案のカレンダーを保存しておけば次年度の年次作業の参考にもなります。【０００８】  例えば、農家の多忙は１年中で、前年何があったか出来事や農作業内容に確認などの記録を探すな労力が省くことが可能となります。
また請求項３に記載の考案では、カレンダーの裾部分に裾部孔を設けたことで、この裾部孔にフック掛けや紙挟みなどを通して結び、メモなどを取り外しできて、そのまますぐにメモを見ることができます。
【考案を実施するための最良の形態】
【０００９】  本考案を図に基づいて説明します。
図１の（イ）と（ロ）は本考案カレンダーの斜視図と正面図で、カレンダー本体１の上部には、挟止金具５でカレンダー本体１を綴じ、その中央部に、取り付け金具３を設け、吊り下げ用の紐２を設けるのは従来と同様です。
本考案では、取り付け金具３の直下方に、挟止金具５の上下幅の２倍程度の間隔を置いて、例えば、挟止金具５が１センチの場合には２センチの間隔を置いて紐通し孔４を開けます。
その紐通し孔４は取り付け金具３より大きな寸法とする。下端部には、紙挟み等を縛り付ける為の裾部孔６を開けます。【００１０】  図２は本考案カレンダーを裏面から見た図です。
裏面白紙７の下端部よりポケット深さに相当する寸法、例えば１０センチ程度の所、即ち下辺端部９の所に谷折線８の印を付けておきます。
そして、その谷折線８の左右端部に下辺端部９と同じ高さ寸法で剥離紙付きの両面粘着テープ１０を貼着します。
上記構成のカレンダーを使うときには、その月の使用の終わったカレンダー本体１を裏返しします。
そのとき、紐通し孔４が開いているので、紐２及び取り付け金具３を紐通し孔４が開いているので、紐２及び取り付け金具３を紐通し孔４をくぐらせると、その中を紐２及び、取り付け金具３が通り抜けて裏面白紙７が出ます。
そこで谷折線８のところでカレンダー本体１を谷折線８で折って、左右の両面粘着テープ１０の剥離紙を剥がして、左右両端部を揃えて貼り付けます。
すると、図３に示すように、カレンダー本体の下方にポケット１２が形成されます。【００１１】  できたポケット１２は保存袋として、家庭菜園の種子や球根を入れて保存でき、又日常の領収書やハガキ、手紙などを入れることができます。
また、カレンダーの裾部分は折り返して二重に重ね合わせ、その重ね合わせた部分に定間隔で複数の裾部孔６を設けるこができます。この裾部孔６にはフックを掛け又は、紐に紙挟みを通して結ぶことができ、すぐに使用する予定のメモなどを一時的に留めて置くことができます。【００１２】  次に図４は別の形態のカレンダーを裏面から見た図です。
カレンダー裏面に左右中央縦方向にカレンダーの長さの中間部より高低位に切り込み線１１を描きます。その縦線に沿って左右別々に水平方向の谷折線８を描きます。
例えば、ハガキ、封筒等の寸法１０センチ、１５センチ、程度のポケット深さにします。
谷折線８の左右両端部の上側の谷折線８の下側のカレンダー下辺線までと略同じ長さのカレンダーの側辺に沿った部位に剥離紙付きの両面粘着テープ１０を貼設し、使用に際しては切り込み線１１で鋏などで下から上に切り込み、前記谷折線８でカレンダー下辺をそれぞれ上方へ折り返し、前記両面粘着テープ１０の剥離紙を剥がしてそのまま圧着してカレンダー裏側にポケット大、小が形成されます。【００１３】  この図４では、裏面白紙７の左右中央部に切り込み線１１、谷折線８、両面テープ１０が付いています。
また、両面粘着テープ１０の位置は下辺端部９よりポケット深さに相当する寸法で、例えば、ハガキ、又は封筒に相当する寸法とし、具体的には１０センチ、１５センチ、程度の所とします。
即ち下辺端部９の寸法と同寸法を両面粘着テープ１０に印を付けます。中央の切り込み線１１を裾部から上方向の印まで切って、左右谷折線８を別々に折って両端部の両面粘着テープの剥離紙を剥がし両端を揃えて貼りつけます。すると図５の様に大、小のポケット１２が形成されます。【００１４】  また、図６は本考案の図４に示す形態の使用状態を示しています。
この図では、前記カレンダー上端部の挟止金具５の中央に付いている取り付け金具３に吊り下げ用の紐２を設けてあります。
そして、前記カレンダー上端部の挟止金具５近くにその挟止金具５の取り付け部分の直下方に中央に半丸状に切り抜いた紐通し孔４を約２センチ位の大きさに丸く開いています。
この紐通し孔４には取り付け金具３に付けた紐２を通して壁などに終わった月のカレンダーを切り取らずに裏返しして吊せるようにします。【００１５】  カレンダーの月枚数が重なると、挟止金具５部分が厚くなりますが裏面のポケット袋の重みで裏に折り返した部分が折れ馴染んで下向きに跳ね上がらずに落ち着きます。
裏面の白紙部分には横方向の谷折線８を二段に描き込み、中央縦に切り込み線１１の印を描き、その印の前記谷折線８上側の左右両端部に剥離紙つき両面粘着テープ１１をそれぞれ向かい合わせに平行に付けます。
そして、使用するときに前記切り込み線１１を下から切り、前記谷折線８を折って両面粘着テープ１０の剥離紙を外して両側面を合わせるとポケット１２が出来ます。
このポケットには月事の領収書などが保管できます。【００１６】  前記切り込み線１１は前記紐通し孔４まで切ってしまっても良く、そうすれが、ポケットに多く入れて膨らんだときの左右のポケットに膨らみの自由度が得られます。
このとき、中央に切り込み線１１の切口上端部に粘着樹脂テープを張り付けるなどすれば丈夫にまるので、破れにくくなり長持ちできようになります。
また、裾部分を強度を高めるため二重に折ってその部分に裾部孔６を設ければ、この孔６にフック掛けや紙挟みなどを通して結び、メモなどを取り外しできて、そのまますぐにメモを見ることができます。
【図面の簡単な説明】
【００１７】
【図１】本考案の（イ）が斜視図、（ロ）が正面図です。
【図２】カレンダーの裏面図です。
【図３】ポケットを形成した状態を示す裏面図です。
【図４】請求項２の形態の裏面図です。
【図５】図４の形態のポケットを形成した状態を示す裏面図です。
【図６】図４の形態のポケットを形成し使用して状態を示す斜視図です。
【符号の説明】
【００１８】１    カレンダー本体
２    紐
３    取り付け金具
４    紐通し孔
５    挟止金具
６    裾部孔
７    裏面白紙
８    谷折線
９    下辺端部
１０  両面粘着テープ
１１  切り込み線
１２  ポケット
【図１】
0003129559.tif 000003
【図２】
0003129559.tif 000004
【図３】
0003129559.tif 000005
【図４】
0003129559.tif 000006
【図５】
0003129559.tif 000007
【図６】
0003129559.tif 000008